(57)【要約】【課題】一方の可搬型の電力供給装置から他方の可搬型の電力供給装置に対して余剰電力の少なくとも一部を供給可能とすること。【解決手段】それぞれ発電手段を有し、それぞれ負荷に対して電力を供給する可搬型の第一電力供給装置と第二電力供給装置とを有する電力供給システムが提供される。前記第一電力供給装置は、前記発電手段により生成された電力を蓄電する蓄電手段と、前記負荷と接続する第一接続手段と、前記第二電力供給装置に接続された電力線と接続する第二接続手段と、前記蓄電手段に蓄電されている電力を、前記第一接続手段を介して負荷に供給する供給手段と、前記負荷の消費電力を監視する監視手段と、前記監視手段により監視された前記負荷の消費電力と前記蓄電手段の蓄電量とに基づき前記蓄電手段の余剰電力を決定する決定手段とを有する。前記供給手段は、前記余剰電力の少なくとも一部を、前記第二接続手段を介して前記第二電力供給装置に供給する。【選択図】図１
2019146330.tif 000002
【特許請求の範囲】
【請求項１】
それぞれ発電手段を有し、それぞれ負荷に対して電力を供給する可搬型の第一電力供給装置と第二電力供給装置とを有する電力供給システムであって、
前記第一電力供給装置は、
前記発電手段により生成された電力を蓄電する蓄電手段と、
前記負荷と接続する第一接続手段と、
前記第二電力供給装置に接続された電力線と接続する第二接続手段と、
前記蓄電手段に蓄電されている電力を、前記第一接続手段を介して負荷に供給する供給手段と、
前記負荷の消費電力を監視する監視手段と、
前記監視手段により監視された前記負荷の消費電力と前記蓄電手段の蓄電量とに基づき前記蓄電手段の余剰電力を決定する決定手段と、
を有し、
前記供給手段は、前記余剰電力の少なくとも一部を、前記第二接続手段を介して前記第二電力供給装置に供給することを特徴とする電力供給システム。
【請求項２】
前記第二電力供給装置は、
前記電力線に接続され、当該電力線を介して電力を受給する受給手段と、
前記受給手段を通じて前記第一電力供給装置から電力を受給している期間において、発電を停止するよう前記第二電力供給装置の発電手段を制御する制御手段と
を有することを特徴とする請求項１に記載の電力供給システム。
【請求項３】
蓄電手段を有し、当該蓄電手段から負荷に電力を供給する第三電力供給装置をさらに有し、
前記第三電力供給装置は前記電力線を介して、前記第一電力供給装置から電力を受給し、受給した電力を前記第三電力供給装置に接続された負荷または前記第三電力供給装置の蓄電手段に蓄電することを特徴とする請求項１または２に記載の電力供給システム。
【請求項４】
前記電力供給システムは商用交流電源網から独立していることを特徴とする請求項１ないし３のいずれか一項に記載の電力供給システム。
【請求項５】
前記第一電力供給装置および前記第二電力供給装置とネットワークを介して通信するサーバをさらに有し、
前記サーバは、
前記ネットワークに接続された通信手段と、
前記通信手段を介して前記第二電力供給装置から電力の受給リクエストを受け付ける受付手段と、
前記通信手段を介して前記第一電力供給装置が余剰電力を有していることを示す余剰電力情報を取得する取得手段と、
前記受付手段により受給リクエストが受け付けられると、前記余剰電力を有している前記第一電力供給装置に前記余剰電力を前記電力線に供給するよう、前記通信手段を介して指示する指示手段と、
を有することを特徴とする請求項１ないし４の何れか一項に記載の電力供給システム。
【請求項６】
前記サーバは、
前記第一電力供給装置のユーザの口座に対して前記第二電力供給装置のユーザの口座から対価を送金する送金手段をさらに有することを特徴とする請求項５に記載の電力供給システム。
【請求項７】
前記サーバは、
前記通信手段を介して、前記第一電力供給装置に接続されている負荷を示す負荷識別情報を当該第一電力供給装置から収集し、前記第二電力供給装置に接続されている負荷を示す負荷識別情報を当該第二電力供給装置から収集する収集手段をさらに有することを特徴とする請求項５または６に記載の電力供給システム。
【請求項８】
それぞれ発電手段を有し、それぞれ負荷に対して電力を供給する可搬型の電力供給装置と他の電力供給装置とを有する電力供給システムにおける前記電力供給装置であって、
前記発電手段により生成された電力を蓄電する蓄電手段と、
前記負荷と接続する第一接続手段と、
前記他の電力供給装置に接続された電力線と接続する第二接続手段と、
前記蓄電手段に蓄電されている電力を、前記第一接続手段を介して負荷に供給する供給手段と、
前記負荷の消費電力を監視する監視手段と、
前記監視手段により監視された前記負荷の消費電力と前記蓄電手段の蓄電量とに基づき前記蓄電手段の余剰電力を決定する決定手段と、
を有し、
前記供給手段は、前記余剰電力の少なくとも一部を、前記第二接続手段を介して前記他の電力供給装置に供給することを特徴とする電力供給装置。
【発明の詳細な説明】
【技術分野】
【０００１】
本発明は、電力供給システムおよび電力供給装置に関する。
【背景技術】
【０００２】
商用交流電源網では大規模な発電所で発電された電力が送電網を介して各家庭や事業所に送電される。特許文献１によれば分散型電源の大量導入といった需要家側での発電手段の増加に伴う余剰電力対策が必要となる状況下において、余剰電力を流通させるための手段やインセンティブを管理する電力管理システムを提供することが提案されている。特許文献２によれば余剰電力を有効に活用して節電の経済的な効果を高めることが可能な電力管理装置、電力システム、需要家装置、電力管理方法および電力管理プログラムが提案されている。
【先行技術文献】
【特許文献】
【０００３】
【特許文献１】特開2013-21798号公報
【特許文献２】特開2017-211947号公報
【発明の概要】
【発明が解決しようとする課題】
【０００４】
特許文献１、２はそれぞれ商用交流電源網に関するものであるが、商用交流電源網から独立した電源網がキャンプ場などで構築されることも考えられる。キャンプ愛好家は、エンジン駆動式の可搬型発電機をキャンプ場に持ち込み、家電製品を使用する。一方で、エンジンの燃料が無くなると、可搬型発電機は発電できなくなり、キャンプ愛好家は、家電製品を使用できなくなる。一方で、キャンプ場には、多数のキャンプ愛好家が集うため、あるキャンプ愛好家の可搬型発電機が発電不可能であっても、他のキャンプ愛好家の可搬型発電機は発電可能なこともあろう。さらに、他のキャンプ愛好家の可搬型発電機は自己の負荷に電力を供給しつつ、余剰な電力をさらに他のキャンプ愛好家に供給したいと希望するかもしれない。そこで、本発明は、一方の可搬型の電力供給装置から他方の可搬型の電力供給装置に対して余剰電力の少なくとも一部を供給可能とすることを目的とする。
【課題を解決するための手段】
【０００５】
本発明によれば、
それぞれ発電手段を有し、それぞれ負荷に対して電力を供給する可搬型の第一電力供給装置と第二電力供給装置とを有する電力供給システムであって、
前記第一電力供給装置は、
前記発電手段により生成された電力を蓄電する蓄電手段と、
前記負荷と接続する第一接続手段と、
前記第二電力供給装置に接続された電力線と接続する第二接続手段と、
前記蓄電手段に蓄電されている電力を、前記第一接続手段を介して負荷に供給する供給手段と、
前記負荷の消費電力を監視する監視手段と、
前記監視手段により監視された前記負荷の消費電力と前記蓄電手段の蓄電量とに基づき前記蓄電手段の余剰電力を決定する決定手段と、
を有し、
前記供給手段は、前記余剰電力の少なくとも一部を、前記第二接続手段を介して前記第二電力供給装置に供給することを特徴とする電力供給システムが提供される。
【発明の効果】
【０００６】
本発明によればは、一方の可搬型の電力供給装置から他方の可搬型の電力供給装置に対して余剰電力の少なくとも一部を供給可能となる。
【図面の簡単な説明】
【０００７】
【図１】電力供給システムを示す図
【図２】電力供給装置を示す図
【図３】電力供給装置を示す図
【図４】電力供給装置を示す図
【図５】電力供給方法を示すシーケンス図
【図６】電力供給方法を示すシーケンス図
【図７】電力供給方法を示すシーケンス図
【図８】電力供給方法を示すシーケンス図
【図９】電力供給方法を示すフローチャート
【図１０】電力供給方法を示すフローチャート
【図１１】電力供給方法を示すフローチャート
【図１２】サーバの機能を説明する図
【図１３】制御回路の機能を説明する図
【発明を実施するための形態】
【０００８】
＜電力供給システム＞
図１はキャンプ場に設置された電力供給システム１００を示している。参照符号の末尾に付与されている小文字のアルファベットは同一または類似の装置を区別するために付与されている。このアルファベットは複数の装置に共通する事項が説明されるときは省略される。キャンプ場では、複数のキャンプ愛好家（ユーザ）がテントを設営したり、バンガローなどに宿泊したりする。第一ユーザは可搬型の発電機である電力供給装置１ａを所持している。電力供給装置１ａは発電または蓄電している電力を負荷２ａに供給する。第二ユーザは可搬型の発電機である電力供給装置１ｂを所持している。電力供給装置１ｂは発電または蓄電済みの電力を負荷２ｂに供給する。キャンプ場には、電力線４が張り巡らせられている。電力線４には複数の接続端子３ａ、３ｂ、３ｃが接続されている。テントサイトには電力線４と接続するための接続端子３ａ、３ｂが設けられている。接続端子３ａには電力供給装置１ａが接続されている。電力供給装置１ａは余剰電力を電力線４に供給したり、電力供給装置１ｂ、１ｚからそれらの余剰電力を受給したりする。接続端子３ｂには電力供給装置１ｂが接続されている。電力供給装置１ｂは余剰電力を電力線４に供給したり、電力供給装置１ａ、１ｚからそれらの余剰電力を受給したりする。キャンプ場を管理する管理人が駐在する管理棟にも接続端子３ｚが設けられている。電力供給装置１ｚは余剰電力を電力線４に供給したり、電力供給装置１ａ、１ｂからそれらの余剰電力を受給したりする。電力供給装置１ａ、１ｂ、１ｚはエンジン駆動式の発電機であってもよいし、蓄電池であってもよいし、蓄電池付のエンジン駆動式の発電機であってもよい。ここでは、説明の簡明化のために三つの電力供給装置１ａ、１ｂ、１ｚが示されているが、電力供給システムには二以上の電力供給装置１が存在すれば十分である。
【０００９】
サーバ５は、キャンプ場またはキャンプ場の外に設けられたコンピュータである。サーバ５はネットワーク６や無線基地局７を介して電力供給装置１ａ、１ｂ、１ｚと通信してもよい。電力線４が電力線搬送通信に利用されてもよい。この場合、電力供給装置１ａ、１ｂ、１ｚは電力線４を通じて通信してもよい。また、管理棟には、ネットワーク６と接続するためのルーターが設けられていてもよい。電力供給装置１ａ、１ｂ、１ｚは戦電力線４およびルーターを通じてサーバ５と通信する。なお、サーバ５はオプションである。無線基地局７はセルラー通信用の基地局であってもよいし、無線ＬＡＮのアクセスポイントであってもよい。サーバ５は、複数の電力供給装置間での電力の供給／受給を仲介したり、対価を送金したり、電力供給装置１に接続されている負荷の識別情報（例：名称や種類、消費電力）を電力供給装置１から取得したりしてもよい。
【００１０】
＜電力供給装置＞
図２は電力供給装置１を示すブロック図である。エンジン発電機１０は燃料タンク１３から供給される燃料にしたがって動作するエンジンと、当該エンジンにより駆動されて発電する発電機とを有している。燃料は、たとえば、ガソリン、液化石油ガス、水素などである。電源回路１１は、エンジン発電機１０により発電された電圧を所定の交流や直流に変換する回路である。ＡＣ／ＤＣ回路２１は、エンジン発電機１０により発電された交流を整流および平滑して直流を生成する整流平滑回路などを有している。インバータ回路２２は、ＡＣ／ＤＣ回路２１または蓄電池１２から出力される直流を所定周波数の安定した交流に変換する回路である。インバータ回路２２は蓄電池１２から出力される直流を所定周波数の安定した交流に変換してもよい。ＡＣ端子２６ａは、負荷２が接続される端子である。ＡＣ端子２６ｂは、負荷２が接続されたり、電力線４が接続されたりする端子である。ＡＣ端子２６ｂは、電力線４を接続するための専用端子とされてもよい。スイッチ回路２３は、制御回路１５からの制御信号に応じて、インバータ回路２２とＡＣ端子２６ｂとを接続したり、受給回路２５とＡＣ端子２６ｂとを接続したりする。たとえば、ＡＣ端子２６ｂをＡＣアウトレットとして機能させる場合、制御回路１５はスイッチ回路２３を制御し、インバータ回路２２とＡＣ端子２６ｂとを接続する。ＡＣ端子２６ｂをＡＣインレットとして機能させる場合、制御回路１５はスイッチ回路２３を制御し、ＡＣ端子２６ａとＡＣ端子２６ｂとを接続するか（ダイレクト接続）、または、受給回路２５とＡＣ端子２６ｂとを接続する（インダイレクト接続）。後者のケースでは、ＡＣ端子２６ｂから入力された交流は受給回路２５で直流に変換され、充電回路２４またはインバータ回路２２に供給される。なお、受給回路２５の機能とＡＣ／ＤＣ回路２１の機能は共通であるため、一つの回路として統合されてもよい。充電回路２４は、ＡＣ端子２６ｂから入力された電力を使用して蓄電池１２を充電する。通常、充電回路２４は、ＡＣ／ＤＣ回路２１から出力される電力を使用して蓄電池１２を充電する。制御回路１５は、電源回路１１、通信回路１６および操作部１７などを制御する回路である。通信回路１６は、有線または無線を介してスマートフォンやＰＣ（パーソナルコンピュータ）と通信したり、他の電力供給装置１やサーバ５と通信したりする。操作部１７は表示装置と入力装置とを有している。残量センサ１４は燃料タンク１３に収容されている燃料の残量を測定したり、蓄電池１２の蓄電量を測定したりして、測定結果を制御回路１５に出力する。計測回路２７は負荷２に供給されている電力（負荷２に消費電力）を計測し、計測結果を制御回路１５に出力する回路である。制御回路１５は、エンジン発電機１０が発電している電力や蓄電池１２の蓄電量から、電力供給装置１により供給可能な電力を求める。また、制御回路１５は計測回路２７を使用して負荷２の消費電力を取得する。制御回路１５は、供給可能電力と負荷２の消費電力との差分を余剰電力として求める。この消費電力には電力供給装置１自体の消費電力も加算されていてもよい。余剰電力が存在する場合、制御回路１５は操作部１７の表示装置、または、通信回路１６を通じてスマートフォン、他の電力供給装置１もしくはサーバ５に、余剰電力があることを示すメッセージを出力してもよい。制御回路１５は、操作部１７の入力装置、通信回路１６を通じてスマートフォン、他の電力供給装置１もしくはサーバ５から受給要求を受け付けると、スイッチ回路２３を通じて電力線４への電力の供給を開始する。
【００１１】
図３は蓄電池１２を有しない電力供給装置１を示すブロック図である。図２と比較して図３では蓄電池１２に関連した回路が省略されている。このタイプの電力供給装置１は、エンジン発電機１０が稼働している期間にだけ電力を負荷２に供給できる。なお、電力供給装置１が電力線４を通じて他の電力供給装置１から電力の供給を受ける場合、制御回路１５は、スイッチ回路２３を制御し、インバータ回路２２とＡＣ端子２６ａ、２６ｂとを遮断し、ＡＣ端子２６ａ、２６ｂとを接続してもよい。
【００１２】
図４はエンジン発電機１０を有しない電力供給装置１を示すブロック図である。図２と比較して図４ではエンジン発電機１０に関連した回路が省略されている。この場合、蓄電池１２は、電力線４を介して他の電力供給装置１から供給された電力によって充電される。
【００１３】
＜電力供給シーケンス＞
図５は電力供給方法を示すシーケンス図である。ここでは電力供給装置１ａが電力供給装置１ｂに電力を供給することが仮定されている。
・ＳＱ１で電力供給装置１ａは余剰電力を求め、サーバ５に余剰電力があることまたは余剰電力の値を示す余剰電力報告を送信する。サーバ５は余剰電力報告を受信し、電力を供給可能な電力供給装置１ａが存在することを認識する。
・ＳＱ２で電力供給装置１ｂは電力を受給したいことを示す電力要求（受給要求）をサーバ５に送信する。サーバ５は電力要求を受信し、電力を受給したいと希望する電力供給装置１ｂが存在することを認識する。なお、ＳＱ２がＳＱ１よりも先に実行されてもよい。
・ＳＱ３でサーバ５は電力の供給指示を電力供給装置１ａに送信する。なお、サーバ５は受給承認を電力供給装置１ｂに送信してもよい。
・ＳＱ４で電力供給装置１ａは受信した供給指示にしたがって電力線４への電力の供給を開始する。電力供給装置１ｂは受給承認にしたがって電力線４を通じて電力供給装置１ａから供給される電力を受給する。
・ＳＱ５で電力供給装置１ｂは操作部１７などを通じてユーザから受給停止が指示されると、停止要求をサーバ５に送信する。電力供給装置１ｂは受給した電力の合計値（合計受給電力量）を計測して、受給終了要求に含めて送信してもよい。
・ＳＱ６でサーバ５は受信した受給終了要求にしたがって電力供給装置１ａに電力供給を停止させるための停止指示を送信する。電力供給装置１ａは停止指示を受信すると、電力線４への電力の供給を停止する。なお、電力供給装置１ａは電力線４に出力した電力の合計値（合計供給電力量）を計測して、サーバ５に送信してもよい。電力を供給する電力供給装置１が一つであり、かつ、電力を受給する電力供給装置１も一つであれば、合計受給電力量と合計供給電力量は一致する。なお、電力供給装置１ｚも電力を受給する場合、電力供給装置１ａの合計供給電力量は、電力供給装置１ｂの合計受給電力量と電力供給装置１ｚの合計受給電力量との和に等しい。電力供給装置１ｚも電力を供給する場合、電力供給装置１ａの合計供給電力量と電力供給装置１ｚの合計供給電力量との和は、電力供給装置１ｂの合計受給電力量に等しい。
・ＳＱ７でサーバ５は電力供給装置１ｂから受信した合計受給電力量から求めた対価を、電力供給装置１ｂのユーザの口座に課金し、対価を示す課金報告を電力供給装置１ｂに送信する。
・ＳＱ８でサーバ５は電力供給装置１ａから受信した合計供給電力量から求めた対価を、電力供給装置１ａのユーザの口座に送金し、対価を示す入金報告を電力供給装置１ｂに送信する。
【００１４】
図６は他の電力供給方法を示すシーケンス図である。ここでは電力供給装置１ａが電力供給装置１ｂに電力を供給することが仮定されている。また、電力供給装置１ａにおいて、蓄電量が不足したり、燃料が不足したり、負荷２ａの消費電力が増加したりすると、電力供給装置１ａはもはや十分な電力を供給できなくなる。そこで、電力供給装置１ａは終了通告Ｓｑ１０をサーバ５に送信し、電力供給装置１ｂに負荷２ｂの停止を促してもよい。図６において図５と共通する部分には同一の参照符号が付与され、図５の説明が援用される。
・Ｓｑ１０で電力供給装置１ａは蓄電量が不足したり、燃料が不足したり、負荷２ａの消費電力が増加したりすると、電力の供給を終了することをサーバ５と電力供給装置１ｂに通告するための終了通告を送信する。
・Ｓｑ１１でサーバ５は電力供給装置１ａから終了通告を受信すると、電力供給装置１ｂに終了通告を送信する。電力供給装置１ｂはサーバ５から終了通告を受信すると、負荷２ｂへの電力の供給を停止するか、または、操作部１７の表示装置などに停止を促すメッセージを出力する。
【００１５】
図７はサーバ５が関与しないピアツーピア型の電力供給方法を示すシーケンス図である。
・ＳＱ１１で電力供給装置１ａは余剰電力を求め、余剰電力があることまたは余剰電力の値を示す余剰電力広告を電力供給装置１ｂなどに送信する。電力供給装置１ｂは余剰電力広告を受信し、電力を供給可能な電力供給装置１ａが存在することを認識する。
・ＳＱ１２で電力供給装置１ｂは電力を受給したいことを示す電力要求を電力供給装置１ａに送信する。電力供給装置１ａは電力要求を受信し、電力を受給したいと希望する電力供給装置１ｂが存在することを認識する。・ＳＱ１３で電力供給装置１ａは受信した電力要求にしたがって電力線４への電力の供給を開始する。なお、電力供給装置１ａは、電力の供給を開始するのに先立って電力供給装置１ｂに受給承認を送信してもよい。電力供給装置１ｂは電力線４を通じて電力供給装置１ａから供給される電力を受給する。
・ＳＱ１４で電力供給装置１ｂは操作部１７などを通じてユーザから受給停止が指示されると、受給終了要求を電力供給装置１ａに送信する。電力供給装置１ａは受給終了要求を受信すると、電力線４への電力の供給を停止する。
・Ｓｑ１５で電力供給装置１ｂは受給した電力の合計値（合計受給電力量）を計測して、対価を求める。さらに、電力供給装置１ｂは電力供給装置１ａのユーザの口座の情報を電力供給装置１ａから取得し、取得した口座に対価を送金する。さらに、電力供給装置１ｂは、対価を送金したことを示す入金報告を電力供給装置１ａに送信する。
【００１６】
図８はサーバ５が関与しないピアツーピア型の他の電力供給方法を示すシーケンス図である。図７におけるＳｑ１４がＳｑ２１に置換されている。
・Ｓｑ２１で電力供給装置１ａは蓄電量が不足したり、燃料が不足したり、負荷２ａの消費電力が増加したりすると、電力の供給を終了することを電力供給装置１ｂに通告するための終了通告を送信する。電力供給装置１ｂは電力供給装置１ａから終了通告を受信すると、負荷２ｂへの電力の供給を停止するか、または、操作部１７の表示装置などに停止を促すメッセージを出力する。
【００１７】
＜フローチャート＞
図９は電力を供給する電力供給装置１ａが実行する電力供給方法を示すフローチャートである。制御回路１５は、ＣＰＵ（中央演算処理装置）と記憶装置とを有し、ＣＰＵは記憶装置に記憶された制御プログラムにしたがって以下の処理を実行してもよい。以下の処理はＦＰＧＡ（フィールドプログラマブルゲートアレイ）やＤＳＰ（デジタルシグナルプロセッサ）などのハードウエア回路によって実行されてもよい。これらのハードウエア回路はプロセッサと総称されてもよい。
・Ｓ１で制御回路１５は残量センサ１４の測定結果（例：蓄電量、発電量）と計測回路２７の測定結果（負荷２ａの消費電力）とに基づき余剰電力を求める。
・Ｓ２で制御回路１５は余剰電力と閾値とを比較して、余剰電力の少なくとも一部を他の電力供給装置１ｂに供給可能かどうかを判定する。閾値は、たとえば、０Ｗであってもよい。あるいは、閾値は、電力供給装置１ａ自体の消費電力であってもよい。電力を供給不可能であれば、制御回路１５は電力供給方法を終了する。一方で、電力を供給可能であれば、制御回路１５はＳ３に進む。
・Ｓ３で制御回路１５は余剰電力報告（または余剰電力広告）を作成し、通信回路１６を介してサーバ５などに送信する。余剰電力報告は特定の通信装置（サーバ５や電力供給装置１）に送信されるものであるが、余剰電力広告は不特定の通信装置に送信される。
・Ｓ４で制御回路１５は通信回路１６を介してサーバ５などから電力の供給指示（または受給要求）を受信したかどうかを判定する。供給指示を受信していなければ、制御回路１５は電力供給方法を終了する。供給指示を受信していれば、制御回路１５はＳ５に進む。
・Ｓ５で制御回路１５はスイッチ回路２３を制御してインバータ回路２２とＡＣ端子２６ｂを接続して電力線４を介して電力供給装置１ｂへの電力の供給を開始する。
・Ｓ６で制御回路１５は通信回路１６を介してサーバ５などから電力供給の停止指示を受信したかどうかを判定する。制御回路１５は停止指示を受信するとＳ９に進み、停止指示を受信していなければＳ７に進む。
・Ｓ７で制御回路１５は残量センサ１４の測定結果（例：蓄電量、発電量）と計測回路２７の測定結果（負荷２ａの消費電力）とに基づき余剰電力を求める。
・Ｓ８で制御回路１５は余剰電力が電力供給装置１ｂから要求された電力以上であるかどうかに基づき、電力供給装置１ｂに対して電力を継続して供給可能かどうかを判定する。制御回路１５は供給不可能と判定するとＳ９に進み、供給可能と判定するとＳ６に戻る。
・Ｓ９で制御回路１５はスイッチ回路２３を制御して、電力線４を通じた電力供給装置１ｂに対する電力の供給を停止する。
・Ｓ１０で制御回路１５は通信回路１６を通じて入金報告を受信し、入金報告を操作部１７の表示装置などに出力する。入金報告は通信回路１６を通じてスマートフォンなどの表示装置に出力されてもよい。
【００１８】
図１０は電力を受給する電力供給装置１ｂが実行する電力供給方法を示すフローチャートである。
・Ｓ２１で制御回路１５は操作部１７や通信回路１６に接続されたスマートフォンなどから電力の受給指示が入力されたかどうかを判定する。制御回路１５は受給指示が入力されると、Ｓ２２に進む。
・Ｓ２２で制御回路１５は電力要求（受給要求）をサーバ５などに送信する。電力要求には、計測回路２７により計測されるか、または、操作部１７もしくは通信回路１６から入力された負荷２ｂの消費電力（定格消費電力）の情報が含まれていてもよい。
・Ｓ２３で制御回路１５は通信回路１６を通じてサーバ５から供給承諾（受給承認）を受信したかどうかを判定する。受給承認を受信できなければ、制御回路１５は電力供給方法（電力受給方法）を終了する。一方で、受給承認を受信すると、制御回路１５はＳ２４に進む。
・Ｓ２４で制御回路１５はスイッチ回路２３を制御し、電力線４を通じて電力供給装置１ａから供給された電力を負荷２ｂに供給する。
・Ｓ２５で制御回路１５は操作部１７や通信回路１６に接続されたスマートフォンなどから受給終了指示が入力されたかどうかを判定する。制御回路１５は受給終了指示が入力されると、Ｓ２８に進む。受給終了指示が入力されていなければ、制御回路１５はＳ２６に進む。
・Ｓ２６で制御回路１５は通信回路１６を通じてサーバ５または電力供給装置１ａから終了通告を受信したかどうかを判定する。制御回路１５は終了通告を受信すると、Ｓ２７に進む。終了通告を受信していなければ、制御回路１５はＳ２５に戻る。
・Ｓ２７で制御回路１５は操作部１７の表示装置または通信回路１６に接続されたスマートフォンなどに終了通告を出力する。
・Ｓ２８で制御回路１５はサーバ５から受信した課金報告を操作部１７の表示装置または通信回路１６に接続されたスマートフォンなどに出力する。なお、制御回路１５はスイッチ回路２３の状態を受給状態から非受給状態に切換える。非受給状態において、電力供給装置１ｂは自己のエンジン発電機１０または蓄電池１２から負荷２ｂに電力を供給する。
【００１９】
図１１はサーバ５が実行する電力供給方法を示すフローチャートである。図１２はサーバ５の機能を説明する図である。サーバ５のＣＰＵ３１は記憶装置３２に記憶されている制御プログラムを実行することで、電力要求受付部３３、余剰電力取得部３４、承認／指示部３５、課金部３６および負荷情報収集部３７として機能する。記憶装置３２は、ＲＡＯＭやＲＯＭを有し、余剰電力ＤＢ４１、課金ＤＢ４２および負荷ＤＢ４３などを記憶している。ＤＢはデータベースの略称である。なお、各機能は以下で詳細に説明される。
・Ｓ３１でＣＰＵ３１（余剰電力取得部３４）は余剰電力報告をサーバ５に送信するよう電力供給装置１に送信する。なお、Ｓ３１は省略されてもよい。なお、電力線４に接続可能な電力供給装置１のアドレスは予め記憶装置３２に格納されており、余剰電力取得部３４によって利用可能である。
・Ｓ３２でＣＰＵ３１（余剰電力取得部３４）は一つ以上の電力供給装置１から通信回路３８を介して余剰電力報告を受信する。余剰電力取得部３４は、電力供給装置１の識別情報と余剰電力報告とを関連付けて余剰電力ＤＢ４１に格納する。
・Ｓ３３でＣＰＵ３１（余剰電力取得部３４または電力要求受付部３３）は、余剰電力ＤＢ４１に格納されている余剰電力報告にしたがって電力供給広告を作成し、通信回路３８を通じて電力供給広告を、電力線４に接続可能な電力供給装置１に送信する。電力供給広告には、電力線４を通じて供給可能な電力を示す情報が含まれていてもよい。
・Ｓ３４でＣＰＵ３１（電力要求受付部３３）は通信回路３８を通じていずれかの電力供給装置１から電力要求を受信したかどうかを判定する。電力要求を受信しなければ、ＣＰＵ３１は電力供給方法を終了する。一方で、電力要求を受信すると、ＣＰＵ３１はＳ３５に進む。
・Ｓ３５でＣＰＵ３１（承認／指示部３５）は電力要求を送信してきた電力供給装置１に対して、他のいずれかの電力供給装置１から電力を供給可能かどうかを判定する。たとえば、承認／指示部３５は、電力要求に含まれている負荷２の消費電力の情報と、余剰電力報告に含まれている供給可能電力とを比較して、電力を供給可能かどうかを判定する。供給可能電力は余剰電力ＤＢから取得されてもよい。なお、具体的な消費電力とっ供給可能電力との比較は必須ではない。たとえば、ある電力供給装置１から電力要求を受信したときに、余剰電力を有する他の電力供給装置１が存在する場合に、承認／指示部３５は電力を供給可能と判定してもよい。承認／指示部３５は、電力を供給可能と判定すると、Ｓ３６に進む。一方、承認／指示部３５は、電力を供給可能でないと判定すると、電力供給方法を終了する。この場合、承認／指示部３５は、電力要求を送信してきた電力供給装置１に対して、電力要求を承認しないことを示す拒否情報を送信してもよい。
・Ｓ３６でＣＰＵ３１（承認／指示部３５）は電力要求を送信してきた電力供給装置１に対して受給承認（供給承諾）を送信するとともに、余剰電力を供給可能な電力供給装置１に対して供給指示を送信する。たとえば、受給承認は電力供給装置１ｂに送信され、供給指示は電力供給装置１ａに送信される。
・Ｓ３７でＣＰＵ３１（承認／指示部３５）は、余剰電力を供給していた電力供給装置１から終了通告を受信したかどうかを判定する。通信回路３８を通じて終了通告が受信されると、承認／指示部３５は、Ｓ３８に進む。終了通告が受信されていなければ、承認／指示部３５は、Ｓ３９に進む。
・Ｓ３８でＣＰＵ３１（承認／指示部３５）は、電力を受給していた電力供給装置１に対して通信回路３８により終了通告を転送する。その後、ＣＰＵ３１はＳ４１に進む。
・Ｓ３９でＣＰＵ３１（承認／指示部３５）は、電力を受給していた電力供給装置１から受給終了要求を通信回路３８により受信したかどうかを判定する。承認／指示部３５は受給終了要求を受信すると、Ｓ４０に進む。受給終了要求を受信していなければ、承認／指示部３５はＳ３７に戻る。
・Ｓ４０でＣＰＵ３１（承認／指示部３５）は、電力を供給していた電力供給装置１に対して通信回路３８により停止指示を送信する。
・Ｓ４１でＣＰＵ３１（課金部３６）は、電力供給装置１ｂにより受給された電力の量に基づき課金報告を作成して課金ＤＢ４２に登録するとともに、課金報告を電力供給装置１ｂに送信する。また、ＣＰＵ３１（課金部３６）は、電力供給装置１ａにより供給された電力の量に基づき入金報告を作成して課金ＤＢ４２に登録するとともに、入金報告を電力供給装置１ａに送信する。課金ＤＢ４２には、電力供給装置１ａのユーザの口座情報や電力供給装置１ｂのユーザの口座情報が含まれている。口座情報は、銀行口座、クレジット口座、仮想通貨口座、ポイント口座など、対価を引き落としたり、対価を送金したりすることが可能な口座であれば十分である。ポイントとは、商品やサービス、割引券、商品券などと交換可能な付加価値である。このように、課金部３６は送金手段（対価管理手段や付加価値転送手段）として機能する。
【００２０】
図１２において負荷情報収集部３７は電力供給装置１から、当該電力供給装置１に接続されている負荷を示す負荷識別情報（負荷の名称またはカテゴリー名（例：工具、調理器具、オーディオ、パソコン）、負荷の消費電力）を収集し、電力供給装置１の識別情報またはそのユーザの識別情報と関連付けて負荷ＤＢ４３に登録する。負荷情報収集部３７は負荷ＤＢ４３を解析することで、キャンプ場においてどのような負荷２が使用されるかを認識することができる。
【００２１】
＜まとめ＞
図１３は電力供給装置１の制御回路１５の機能を示している。図１３を参照しながら、本実施形態から導き出される技術思想が例示される。図１３においてＣＰＵ５１は記憶装置５２に記憶されている制御プログラムを実行することで、消費電力監視部５３、余剰電力監視部５４、蓄電量監視部５５、供給制御部５６、供給量演算部５７、ＵＩ制御部５８および受給制御部５９などを実現する。これらはすでに説明された電力供給方法を実行する主体となるものである。消費電力監視部５３は計測回路２７を用いて負荷２の消費電力を監視する。余剰電力監視部５４は、負荷２の消費電力、エンジン発電機１０の発電能力、蓄電池１２の蓄電量などに基づいて余剰電力を求める。蓄電量監視部５５は、エンジン発電機１０の発電能力や蓄電池１２の蓄電量などを監視する。供給制御部５６は余剰電力の供給を制御する。供給制御部５６は余剰電力報告や余剰電力広告、終了通告を送信したり、電力要求または供給指示、入金報告などを受信したりする。供給量演算部５７は、電力供給装置１から電力線４へ供給した電力量を演算する。受給制御部５９は電力線４からの電力の受給を制御する。受給制御部５９は電力要求や受給終了要求を送信したり、受給承認や終了通告、課金報告を受信したりしてもよい。ＵＩ制御部５８は操作部１７や通信回路１６に接続されたスマートフォンなどから情報の入力を受け付けたり、これらに情報を出力したりする。ＣＰＵ５１により実現されるこれらの機能のすべてまたは一部はＦＰＧＡやＤＳＰなどのハードウエア回路によって実行されてもよい。
【００２２】
第１態様によれば、それぞれ発電手段を有し、それぞれ負荷に対して電力を供給する可搬型の第一電力供給装置と第二電力供給装置とを有する電力供給システム１００が提供される。なお、エンジン発電機１０は発電手段の一例である。電力供給装置１は可搬型の第一電力供給装置と第二電力供給装置の一例である。可搬型とは、ユーザにより手持ち可能なことを意味し、ユーザの手で握られる取っ手（把持部）などを有していることを意味する。
【００２３】
電力供給装置１ａは第一電力供給装置の一例である。図２などが示すように蓄電池１２は発電手段により生成された電力を蓄電する蓄電手段の一例である。ＡＣ端子２６ａは負荷２と接続する第一接続手段の一例である。ＡＣ端子２６ｂは第二電力供給装置に接続された電力線４と接続する第二接続手段の一例である。電源回路１１は蓄電手段に蓄電されている電力を、第一接続手段を介して負荷２に供給する供給手段の一例である。消費電力監視部５３は負荷２の消費電力を監視する監視手段の一例である。消費電力監視部５３は計測回路２７により検知された交流電流および交流電圧から負荷２の消費電力を監視する。余剰電力監視部５４は監視手段により監視された負荷の消費電力と蓄電手段の蓄電量とに基づき蓄電手段の余剰電力を決定する決定手段の一例である。蓄電量監視部５５は残量センサ１４により計測された蓄電池１２の電圧から蓄電量を推定してもよい。余剰電力監視部５４はエンジン発電機１０の発電電力と、蓄電手段の蓄電量との和から、負荷の消費電力を減算することで、余剰電力を算出してもよい。供給手段は、余剰電力の少なくとも一部を、第二接続手段を介して第二電力供給装置に供給する。なお、供給制御部５６はスイッチ回路２３を制御することで、余剰電力の少なくとも一部を、第二接続手段を介して第二電力供給装置に供給する。供給量演算部５７は第一電力供給装置から電力線４に供給された電力の合計値（電力量）を演算する。第一態様によればは、一方の可搬型の電力供給装置から他方の可搬型の電力供給装置に対して余剰電力の少なくとも一部を供給可能となる。
【００２４】
第２態様によれば、第二電力供給装置は、電力線に接続され、当該電力線を介して電力を受給する受給手段と、受給手段を通じて第一電力供給装置から電力を受給している期間において、発電を停止するよう第二電力供給装置の発電手段を制御する制御手段とを有する。ここで、受給制御部５９により制御されるスイッチ回路２３や受給回路２５などは、受給手段の一例である。受給制御部５９は、第一電力供給装置から電力を受給している期間において、発電を停止するようエンジン発電機１０を制御してもよい。これによりユーザは燃料を節約できるともに、エンジン発電機１０の稼働音を減少させることができる。
【００２５】
第３態様によれば、電力供給装置１ｚは、蓄電手段を有し、当該蓄電手段から負荷２ｚに電力を供給する第三電力供給装置の一例である。第三電力供給装置は電力線４を介して、第一電力供給装置から電力を受給し、受給した電力を第三電力供給装置に接続された負荷２ｚまたは第三電力供給装置の蓄電手段に蓄電してもよい。このように一つの電力供給装置１ａが複数の電力供給装置１ｂ、１ｚに電力を供給してもよい。
【００２６】
第４態様によれば、電力供給システム１００は商用交流電源網から独立していてもよい。これにより、商用交流電源網が整備されていないキャンプ場においてもユーザは電気機器を使用可能となる。
【００２７】
第５態様によれば、電力供給システム１００は第一電力供給装置および第二電力供給装置とネットワーク６を介して通信するサーバ５をさらに有していてもよい。サーバ５の通信回路３８は、ネットワーク６に接続された通信手段の一例である。電力要求受付部３３は通信手段を介して第二電力供給装置から電力の受給リクエスト（電力要求）を受け付ける受付手段の一例である。余剰電力取得部３４は、通信手段を介して第一電力供給装置が余剰電力を有していることを示す余剰電力情報を取得する取得手段の一例である。承認／指示部３５は受付手段により受給リクエストが受け付けられると、余剰電力を有している第一電力供給装置に余剰電力を電力線４に供給するよう、通信手段を介して指示する指示手段の一例である。
【００２８】
第６態様によれば、サーバ５の課金部３６は第一電力供給装置のユーザの口座に対して第二電力供給装置のユーザの口座から対価を送金する送金手段の一例である。
【００２９】
第７態様によれば、サーバ５の負荷情報収集部３７は、通信手段を介して、第一電力供給装置に接続されている負荷を示す負荷識別情報を当該第一電力供給装置から収集し、第二電力供給装置に接続されている負荷を示す負荷識別情報を当該第二電力供給装置から収集する収集手段の一例である。
【００３０】
第８態様によれば、電力供給装置１は、それぞれ発電手段を有し、それぞれ負荷に対して電力を供給する可搬型の電力供給装置と他の電力供給装置とを有する電力供給システムにおける電力供給装置の一例である。
【００３１】
図１３においてＵＩ制御部５８は操作部１７や通信回路１６に接続されたスマートフォンに、入金報告、課金報告、終了通告などを表示する。ＵＩ制御部５８は操作部１７や通信回路１６に接続されたスマートフォンから、電力供給の停止指示や受給指示などを受け付けてもよい。受給制御部５９は受給指示が入力されると、電力要求（受給要求）をサーバ５などに送信する。受給制御部５９は操作部１７などから受給終了指示を受け付けると、受給終了要求をサーバ５などに送信する。受給制御部５９は電力要求に対するレスポンスとして供給承諾（受給承認）を受信すると、スイッチ回路２３を制御し、電力線４からの電力の受給を開始する。受給制御部５９は、サーバ５または電力供給装置１ａなどから終了通告を受信すると、操作部１７や通信回路１６に接続されたスマートフォンなどに終了通告を表示させる。また、受給制御部５９は、終了通告にしたがってスイッチ回路２３を制御して、電力線４と負荷２とを遮断してもよい。
【図１】
2019146330.tif 000003
【図２】
2019146330.tif 000004
【図３】
2019146330.tif 000005
【図４】
2019146330.tif 000006
【図５】
2019146330.tif 000007
【図６】
2019146330.tif 000008
【図７】
2019146330.tif 000009
【図８】
2019146330.tif 000010
【図９】
2019146330.tif 000011
【図１０】
2019146330.tif 000012
【図１１】
2019146330.tif 000013
【図１２】
2019146330.tif 000014
【図１３】
2019146330.tif 000015